(57)【要約】【課題】解決しようとする問題点は、背面板が壁状になっている景品取得遊戯装置を室内中央部に複数台設置するにあたり、見栄えのよい演出ができる景品陳列台を得ることにある。【解決手段】景品展示室４の背面を取り外した景品取得遊戯装置１の景品展示室の背面に位置する、基台の中央部に立設された支軸の下端に駆動手段に連係されて緩速回転される回転板１２を、支軸１３を中心として回転しうるように軸支するとともに、回転板１２に支軸を囲むようにして立設された回転支持部１６を設けるとともに、上下複数段の棚板１２ａ、１２ｂ、１２ｃを前記景品取得遊戯装置の前面から操作者Ｈが立った位置からみて景品展示室の背面を取り外して見える視野内にＶ１、Ｖ２位置させた回転式景品陳列台。【選択図】図４
2005230507.tif 000002
【特許請求の範囲】
【請求項１】
景品展示室の背面を取り外した景品取得遊戯装置の景品展示室の背面に位置する、基台の中央部に立設された支軸の下端に駆動手段に連係されて緩速回転される回転板を、支軸を中心として回転しうるように軸支するとともに、回転板に支軸を囲むようにして立設された回転支持部を設けるとともに、上下複数段の棚板を前記景品取得遊戯装置の前面から操作者が立った位置からみて景品展示室の背面を取り外して見える視野内に位置させたことを特徴とする回転式景品陳列台。
【請求項２】
景品展示室の背面を取り外した景品取得遊戯装置の景品展示室の背面に位置する、基台の中央部に立設された支軸の下端に駆動手段に連係されて緩速回転される回転板を、支軸を中心として回転しうるように軸支するとともに、回転板に支軸を囲むようにして立設された回転支持部を設けるとともに、上下複数段の棚板を、支柱と一体的に回転しうるように設け棚板を照明する複数の照明器具を設けたことを回転式景品陳列台。
【請求項３】
請求項１乃至２において、前記複数段の棚板の回転方向をそれぞれ制御する回転駆動機構を有することを特徴とする回転式景品陳列台。
【請求項４】
景品展示室の背面を取り外した景品取得遊戯装置の景品展示室の背面に位置する、基台の平面に複数配置した景品棚を軸支する軸に各々回転駆動力を伝える動力伝達手段を設け、各景品棚が回転しうるように軸支したことを特徴とする回転式景品陳列台。
【発明の詳細な説明】
【技術分野】
【０００１】  本発明は、景品取得遊戯装置に併設して設けられる回転台を備えた各種景品を陳列する回転式景品陳列台に関するものである。
【背景技術】
【０００２】  本願出願人は、プレイヤーが景品取り出し操作手段を操作して、筐体内の景品を景品取り出し口へ搬出する景品取得遊戯装置をいろいろと提案している。
この種の遊戯装置は、上部にゲーム空間を形成したゲーム装置本体と、このゲーム装置本体のゲーム空間よりも下方でかつゲームプレイヤが直立した状態で操作可能な高さに操作スイッチを設けた操作台と、上記ゲーム空間の天井部分に配設された把持つめ駆動装置と、前記把持つめ駆動装置によりゲーム空間の水平方向に移動自在に駆動される移動体と、前記移動体に対して下方に向かって伸縮自在に取り付けられた伸縮パイプと、この伸縮パイプの下部に開閉可能に取り付けられた把持つめ装置と、前記移動体から前記把持つめ装置を上下方向に移動させる上下動手段と、前記把持つめ装置の開閉駆動手段とを有している（例えば特許文献１参照）。
これは、遊戯者が立った状態で、操作部を操作する遊戯装置であり、この遊戯装置は背面が背面板となっており、壁面に背面を向けて設置されるのが一般的であり、室内中央に設置すると背面が出来てしまい、背面がどうしても見栄えが悪く不向きであった。【０００３】  本願出願人は、さらに設置場所を室内の中央部にも設置できる遊戯装置として、筐体が平面形状が略６角形で、その何れの辺に面しても操作が可能に操作部を設けて遊戯者がどの辺に面しても景品取得遊戯ゲームができようにしたものを提案している（例えば特許文献２参照）。
この遊戯装置は、略６角形であるので、室内の壁面ではなく中央部に設置可能であり、略６角形の中央の奥行隅部には遊戯とは関係がない歯車の装飾体があり、略６角形の各辺毎に操作部が設けられており、最大６人までが同時に遊戯を楽しむことができるが、６人用の大型筐体となってしまい、前出の遊戯装置に比して搬入、搬出が大変であった。【０００４】  本願出願人はさらに、景品を一つづつ一列に並べて載置する景品載置部９と景品を落とすための景品落とし手段１６を備えた景品落とし装置と、景品落とし装置を景品に相対する位置へ移動させる移動手段と、景品落とし装置の移動および動作を制御する操作手段を備えた景品取得ゲーム機を開示している（例えば特許文献３参照）。
これはゲーム空間の中で景品載置部が回転しており、遊戯者は自分の席に回転してきた所望の景品を取得することが可能となっているが、その景品が取得されてしまうと、景品載置部のその部分は開いてしまい、景品載置部の設置面席に限りがあり、数多くの景品が載置できず、頻繁に景品を補充する必要があった。【０００５】  一方、回転式商品陳列台としては様々なものが提案されている。この種のものとして垂直軸の回りに回転される回転台を備えた商品の展示即売の為にの回転展示装置としては、基台の中央部に立設された支軸の下端部に、駆動手段に連係されて緩速回転させられる回転ベースを、前記支軸を中心として回転しうるように嵌合するとともに、前記回転ベースに前記支軸を囲むようにして立設された回転支柱の周囲に、棚板を、回転支柱と一体的に回転しうるようにして設け、かつ前記支軸における回転支柱の上端よりの突出端部に、前記棚板の上面を照明する照明器具を設けた回転式商品陳列棚がある（例えば特許文献４参照）。【０００６】  さらに、複数段の卓部からなり、少なくとも一個の卓部は回転することが出来、中心部には各段の卓部が支持される軸筒ユニットを望遠鏡状に連結した回転軸が配置されている回転多段テーブルがある（例えば特許文献５参照）。
【特許文献１】実公平７−０１３７５６号公報
【特許文献２】特開平１１−３１９３０６号公報
【特許文献３】特許第２８３３５１４号公報
【特許文献４】特開平１１−３１９３０６号公報
【特許文献５】特開２００２−１９１４４０号公報
【発明の開示】
【発明が解決しようとする課題】
【０００７】  解決しようとする問題点は、背面板が壁状になっている景品取得遊戯装置を室内中央部に複数台設置するにあたり、見栄えのよい演出ができる景品陳列台を得ることにある。
【課題を解決するための手段】
【０００８】  本発明は、上記課題を解決するために、景品展示室の背面を取り外した景品取得遊戯装置の景品展示室の背面に位置する、基台の中央部に立設された支軸の下端に駆動手段に連係されて緩速回転される回転板を、支軸を中心として回転しうるように軸支するとともに、回転板に支軸を囲むようにして立設された回転支持部を設けるとともに、上下複数段の棚板を前記景品取得遊戯装置の前面から操作者が立った位置からみて景品展示室の背面を取り外して見える視野内に位置させた回転式景品陳列台とした。【０００９】  さらに本発明では上記課題を解決するために、景品展示室の背面を取り外した景品取得遊戯装置の景品展示室の背面に位置する、基台の中央部に立設された支軸の下端に駆動手段に連係されて緩速回転される回転板を、支軸を中心として回転しうるように軸支するとともに、回転板に支軸を囲むようにして立設された回転支持部を設けるとともに、上下複数段の棚板を、支柱と一体的に回転しうるように設け棚板を照明する複数の照明器具を設けたことを回転式景品陳列台とした。【００１０】  さらに上述において本発明では、前記複数段の棚板の回転方向をそれぞれ制御する回転駆動機構を有する回転式景品陳列台とした。【００１１】  さらに本発明では上記課題を解決するために、景品展示室の背面を取り外した景品取得遊戯装置の景品展示室の背面に位置する、基台の平面に複数配置した景品棚を軸支する軸に各々回転駆動力を伝える動力伝達手段を設け、各景品棚が回転しうるように軸支した回転式景品陳列台としてある。
【発明の効果】
【００１２】本発明の景品陳列台を景品取得遊戯装置の景品展示室の背板を外して、設置することにより、より豪華な景品取得遊戯装置を提供することが可能となった。
【発明を実施するための最良の形態】
【００１３】  従前の背板のある景品取得遊戯装置を多数有する場合に本景品展示台を背面に位置させることで、室内中央部に景品取得遊戯装置を設置することが違和感なく、可能となった。
【実施例１】
【００１４】  図１は、景品陳列台を囲んで景品取得遊戯装置を配置した斜視図であり、図２は景品陳列台を囲んで景品取得遊戯装置４台を配置した平面概略図である。
景品取得遊戯装置１は、ゲーム空間となる景品展示室の背板部を取り外し、景品陳列台１０を囲んで景品取得遊戯装置１を奥行の隅１ａを合わせて各４台を直角に配置し、各景品取得遊戯装置間のコーナには平面が４分の１の扇状のコーナ部を配置し、景品取得遊戯装置が４台で一体として見えるようにしてある。
景品取得遊戯装置１は把持詰め装置３が景品展示室４に設けてあり、遊戯者が景品展示室４の床面高さに位置する操作部５を操作して景品把持部３を景品展示室４の天井部６にある図示しない把持つめ駆動装置を駆動して移動させ景品展示室内に配された景品Ｐを把持して景品Ｐを景品取得口７に導き取出すようになっている。
景品取得遊戯装置の景品展示室の背面の背板部は取り外されており、正面から見ると景品展示室を透過して景品陳列台１０を見ることができる。
景品陳列台１０は一辺が景品取得遊戯装置１の横幅の長さの方形であり、平面形状が方形の基台１１の中央に回転する陳列棚１２を配してある。【００１５】  図３は景品陳列台を囲んで景品取得遊戯装置２台を対峙させて配置した斜視図を示している。景品取得遊戯装置１は、いずれも横幅が同一である同一機種を用いており、景品陳列台を挟んで対峙して配置され、何れの景品取得装置１も景品展示室４の背板部を取り外してあるので、操作部５側から景品展示室４を透過して景品陳列台１０を観察することができる。【００１６】  図４は景品陳列台を景品取得遊戯装置の背面に配置した内部側面図を示し、図５は景品陳列台の駆動方法を示す概略図を示している。景品陳列台１０は方形台の上にクリスマスケーキ状の同心円状に三段になった陳列棚１２を有しており、景品陳列棚１２は緩やかに水平に回転している。
陳列棚１２は同心円に円筒が三段になっており、基台１１の中段に水平に配された中板１１ａの中央部に立設された軸１３に同心円状の三段の陳列棚１２の下棚１２ａが軸受１４を介して回動自在に取りつけられている。下棚１２ａの中央には支柱１５が固定され立設されている。
中段の中棚１２ｂは円筒の底面の無い形状で中央に支柱１５を貫通する穴を設け、支柱１５の上方から下棚１２ａに載置する。上棚１２ｃも中棚１２ｂの形状で径が小さく、同様に支柱１５の上方から中棚１２ｂに載置する。
これにより下棚１２ｃに中棚１２ｂを載せ、その中棚１２ｂに上棚１２ｃを載せて、三段の陳列棚が構成される。
無論、三段の棚を一体に作っておいてもよいのは勿論であるが、こうすることにより、中棚１２ｂ、上棚１２ｃの寸法を変えることにより、棚数を変えたり、径を変えたり、陳列する景品の大きさに合わせることができるのである。【００１７】  下棚１２ａの下面の円周近傍に接するキャスタローラ１６が、中板１１ａにブラケット１６ａを介して回動自在に複数個取りつけられ、下棚１１ａが水平に回転する際に陳列棚１２の荷重を支えて回転させることができる。そして中板１１ａには駆動ユニット１７が取りつけられ、駆動モータ１７ａが減速機１７ｂを介して弾性を有する駆動輪１７ｃが取りつけられ、該駆動輪１７ｃは下棚の円周方向に接して下棚１１ａを水平に回転駆動させる。これにより、陳列棚１２は、軸１３を回転中心として駆動輪１７ｃによりある程度の摩擦力で下棚が駆動されるのである。
操作者Ｈは景品取得遊戯装置１の手前に立ち景品展示室４内に配された景品Ｐや、景品陳列台の陳列棚１２に陳列された景品を見ることができる。標準的な身長を有する操作者Ｍは把持つめ装置３を移動駆動する把持つめ駆動装置が天井部６に収納されているから、この天井部６の天井面奥が上方への視界の限界であり、
操作者Ｈはこの天井面奥から下方の視界が見ることができる。景品展示室４の背中部を取り外した際の景品取得遊戯装置の背板外方の視界の限界線を一点鎖線で示している。視界上方限界線をＶ１、視界下方限界線をＶ２で示す。【００１８】  景品陳列台の陳列棚１２に景品６を展示した状態で、最上段の景品Ｐｈは、標準的な身長を有する操作者Ｈにとって、難なく観察ができる位置に陳列台１２ｃの高を取ってある。こうすることにより、操作者Ｈはしゃがむことなく景品陳列棚に陳列された全景品を観察することが可能となっている。
さらに陳列棚１２は緩やかに回転しており、陳列棚１２が一回転することにより、陳列棚に陳列してある全景品を観察することができる。【００１９】  操作者Ｈはいろいろな景品を観察でき、景品展示室４内に所望する景品Ｐがあれば、操作部５を操作して把持つめ装置３を水平に移動させた後、把持つめ装置３を下降させて景品Ｐを把持させる動さをさせて、うまく景品Ｐが把持できたならば、景品取得口７へ導き、入手するのである。
【実施例２】
【００２０】  図６は、本願の第２実施例であり、陳列棚の段数が可動変更可能な景品陳列台の内部断面図である。図６（Ａ）は景品陳列台の陳列棚が３段になっている断面を示している。
この陳列棚は下棚２３ａ、中棚１２３ｂ、上棚２３ｃから構成されており、中棚２３ｂ、上棚２３ｃのうち、径方向の内側が昇降棚２４となっており、昇降中棚２４ｂ、昇降上棚２４ｃとなっており、昇降中棚２４ｂと昇降上棚は内部で昇降床板２４ａと一体に構成されており、昇降棚板は支柱１５に対し、昇降可能に軸受２４ｅ、２４ｆが取りつけてある。昇降棚板の底板２４ａには支柱を挟む三方の対称位置に昇降装置２５が設けられている。この昇降装置２５は、昇降棚を水平に昇降させるために、昇降棚を水平状態に保ち昇降させることができるように例えばパンタグラフ式電動ジャッキや、ボールネジによりモータ駆動で昇降棚が水平に昇降し、昇降動作中に傾いたりすることがない。この駆動に際してモータへの電力は図示しないが、軸受部１４に設けた複数の摺動接点を用いて基台１１側から供給される。この電力は昇降時以外は使用しないので、通常は陳列棚の側面に電球を配して照明することも可能であり、これによりより人目を引く陳列棚とすることができる。昇降棚２４の昇降駆動は基台側に設け制御部の昇降スイッチを開閉することで行なわれる。
図６（Ｂ）は昇降棚が上側に動き、陳列棚を５段にした状態を示しており、このようにすると、陳列棚が三段の場合と比して、小型の景品を２段目２３ｂ、３段面２４ｂ、４段目２３ｃ、５段目２４ｃの展示棚に陳列するのに適する。ここでは下棚２３ａは元のままであるから、ここには元の大きさの景品を展示することができる。
これにより、中板１１ａに取りつけられている複数のキャスタローラと、駆動ユニット１７により、下棚２３ａが回転駆動され、それに一体となって２段目から５段目までの陳列棚が一体となって緩やかに回転するのである。
【実施例３】
【００２１】  図７は、本願の第３実施例であり、陳列棚の回転方向がそれぞれ異なる景品陳列台の内部断面図を示す。
三段の陳列棚１１はそれぞれ背板を有する下棚１１ａ、背板を有する中棚１１ｂ、支柱を有する上棚１１ｃがそれぞれ同心ではあるが、おのおのの回転軸を有しており、各棚はそれぞれの回転軸に固定されており、各回転軸は基台１１の下方でギアまたはプリーを介して駆動ユニットの駆動軸の回転に伴い、下棚、中棚、上棚が別々に回転することができる。例えば下棚と上棚が同一向きに回転し、中棚は逆向きに回転する。さらに回転速度は同一でも違えてもよい。それは駆動ユニットのギア列では介在するギアの数を奇遇数にすることで達成される。プリーではベルトの巻き方を八の字状にすることで回転方向を変えることができる。
下棚１１ａは太い円筒回転軸３３ａに軸受３４ａにより固定されており中板１１に軸受３５ａで回転自在に上下方向の高さを維持されている。尚、中板には下棚の下面を支えるキャスタローラが複数取りつけられており、下棚の回転を補助的に支えている。中板の下方には太い円筒回転軸に軸着されたギア３６ａが駆動ユニットのギア３７ａに連なっている。
また中棚１１ｂには円筒回転軸３３ａの円筒内を貫通する円筒の回転軸３３ｂが軸受３４ｂを介して取りつけられており、該回転軸３３ｂは基台１１から固定された水平なブラケット１８に軸受３５ｂを介して回転自在に取りつけられており、中棚１１ｂの上下方向の高さを維持している。回転軸３３ｂはブラケット１８の下方でギア３６ｂに軸着されており、ギア３６ｂは駆動ユニットのギア３７ｂに連なっている。
同様に上棚１１ｃには円筒回転軸３３ｂの円筒内を貫通する回転軸３３ｃに軸受３４ｃを介して取りつけられており、該回転軸３３ｃは基台の底部に軸受３５ｃに回転自在に取りつけられるとともに、上下方向の高さを維持されている。同様に回転軸３３の軸着したギア３６ｃは駆動ユニットのギア３７ｃに連なっている。
上記でのべた各回転軸３３ａ、３３ｂ、３３ｃに軸着されたギア３６ａ、３６ｂ、３６ｃは駆動ユニットのギア３７ａ，３７ｂ，３７ｃと連結されるにあたり、プリー群としてもよいのは勿論である。
【実施例４】
【００２２】  図８は、第４実施例を示し、陳列皿が平面状に複数存在しそれぞれ回転する景品陳列台である。図８（Ａ）は景品陳列台の斜視図を示し、図８（Ｂ）は基台の内部平面図を示す。
基台１１の平面状に多数の回転円筒４０ａ、４０ｂ、を設けてあり、該回転円筒は基台内で回転軸４１ａ、４１ｂが垂下されており、該回転軸４１ａ、４１ｂにはにプリー４２ａ、４２ｂが軸着されている。隣接する回転円筒のプリーにはベルトが掛け渡されたおり、一方の円筒が回転すると他方の円筒も従動して回転することができる。図８（Ｂ）に示すように基台の中央には駆動モータＭが位置しており、駆動モータＭの回転軸に軸着されたプリー４３と近傍の回転円筒のプリーとにベルトが掛け渡されており、回転円筒４０ａ、４０ｂ、・・を回転駆動するのである。
【実施例５】
【００２３】  図９は、第５実施例であり、内部からライトアップした景品陳列台である。図９（Ａ）は景品陳列台の斜視図であり、図９（Ｂ）は同内部断面図である。
陳列棚１１は同心円状に３段になっており、各段の麓がリング状に透光性の硬質樹脂性やガラス性ののリング体を配置してあり、基台上面のリング体５０ａ、下棚のリング体５０ｂ、中棚のリング体５０ｃを配置してある。
景品陳列台は基台の内部中央に立設された支軸１３により軸支され、基台１１に取りつけた複数のキャスタローラ１６に高さを維持されつつ回転保持されており、駆動ユニットにより底部が回転駆動される。
各棚のリング体を区分けする区割体５１がそれぞれ各棚の底から垂下されており、貴台に取りつけられた赤、青、緑のスポット光５２が各リング体に照射される。各リング体は透光性を有しており、各リング体５０ａ、５０ｂ、５０ｃがスポット光の照射により景品陳列台の外から見ると、各色によりリング体５０ａ、５０ｂ、５０ｃが光り、段差部の縦壁をライトアップするのである。
また、同一の区画に単一のスポット正面を配するだけでなく、光の三源色の３つのスポット照明を配して、図示しない制御回路により３源色の照明の割合を変えることで様々な色のライトアップをすることが可能である。
また、上記説明ではリング体のみ透光性としたが、陳列棚を透光性材質にすることでより目立つライトアップする展示台が得られる。
これにより、照明でより奇麗にライトアップされた景品展示台を提供することができるのである。
【産業上の利用可能性】
【００２４】  本願は景品取得遊戯装置の景品陳列台に用いるだけでなく、百貨店等の店内での商品の陳列台としても適用することが可能である。
【図面の簡単な説明】
【００２５】
【図１】景品陳列台を囲んで景品取得遊戯装置を配置した斜視図である。
【図２】景品陳列台を囲んで景品取得遊戯装置４台を配置した平面概略図である。
【図３】景品陳列台を囲んで景品取得遊戯装置２台を対峙させて配置した斜視図である。
【図４】景品陳列台を景品取得遊戯装置の背面に配置した内部側面図である。（実施例１）
【図５】景品陳列台の駆動方法を示す概略図である。
【図６】陳列棚の段数が可動変更可能な景品陳列台の内部断面図である。（実施例２）
【図７】陳列棚の回転方向がそれぞれ異なる景品陳列台の内部断面図である。（実施例３）
【図８】陳列皿が平面状に複数存在しそれぞれ回転する景品陳列台である。（実施例４）
【図９】内部からライトアップした景品陳列台である。（実施例５）
【符号の説明】
【００２６】１    景品取得遊戯装置
１０  景品陳列台
１１  基台
１２  陳列棚
１３  軸
１４  軸受
１５  支柱
１６  陳列棚
２２  可動陳列棚
【図１】
2005230507.tif 000003
【図２】
2005230507.tif 000004
【図３】
2005230507.tif 000005
【図４】
2005230507.tif 000006
【図５】
2005230507.tif 000007
【図６】
2005230507.tif 000008
【図７】
2005230507.tif 000009
【図８】
2005230507.tif 000010
【図９】
2005230507.tif 000011
【手続補正書】
【提出日】平成17年5月19日(2005.5.19)
【手続補正１】
【補正対象書類名】特許請求の範囲
【補正対象項目名】全文
【補正方法】変更
【補正の内容】
【特許請求の範囲】
【請求項１】
景品展示室の背面を取り外した景品取得遊戯装置の景品展示室の背面に位置する、基台の中央部に立設された支軸の下端に駆動手段に連係されて緩速回転される回転板を、支軸を中心として回転しうるように軸支するとともに、回転板に支軸を囲むようにして立設された回転支持部を設け、上下複数段の棚板を前記景品取得遊戯装置の前面から操作者が立った位置からみて景品展示室の背面を取り外して見える視野内に位置させたことを特徴とする回転式景品陳列台。
【請求項２】
景品展示室の背面を取り外した景品取得遊戯装置の景品展示室の背面に位置する、基台の中央部に立設された支軸の下端に駆動手段に連係されて緩速回転される回転板を、支軸を中心として回転しうるように軸支するとともに、回転板に支軸を囲むようにして立設された回転支持部を設け、上下複数段の棚板を、支柱と一体的に回転しうるように設け棚板を照明する複数の照明器具を設けたことを特徴とする回転式景品陳列台。
【請求項３】
請求項１乃至２において、前記複数段の棚板の回転方向をそれぞれ制御する回転駆動機構を有することを特徴とする回転式景品陳列台。
【請求項４】
景品展示室の背面を取り外した景品取得遊戯装置の景品展示室の背面に位置する、基台の平面に複数配置した景品棚を軸支する軸に各々回転駆動力を伝える動力伝達手段を設け、各景品棚が回転しうるように軸支したことを特徴とする回転式景品陳列台。
【手続補正２】
【補正対象書類名】明細書
【補正対象項目名】全文
【補正方法】変更
【補正の内容】
【発明の詳細な説明】
【技術分野】
【０００１】
本発明は、景品取得遊戯装置に併設して設けられる各種景品を陳列する回転台を備えた回転式景品陳列台に関するものである。
【背景技術】
【０００２】
本願出願人は、プレイヤが景品取り出し操作手段を操作して、筐体内の景品を景品取り出し口へ搬出する景品取得遊戯装置をいろいろと提案している。
この種の遊戯装置は、上部にゲーム空間を形成したゲーム装置本体と、このゲーム装置本体のゲーム空間よりも下方でかつゲームプレイヤが直立した状態で操作可能な高さに操作スイッチを設けた操作台と、上記ゲーム空間の天井部分に配設された把持つめ駆動装置と、前記把持つめ駆動装置によりゲーム空間の水平方向に移動自在に駆動される移動体と、前記移動体に対して下方に向かって伸縮自在に取り付けられた伸縮パイプと、この伸縮パイプの下部に開閉可能に取り付けられた把持つめ装置と、前記移動体から前記把持つめ装置を上下方向に移動させる上下動手段と、前記把持つめ装置の開閉駆動手段とを有している（例えば特許文献1参照）。
これは、遊戯者が立った状態で、操作部を操作する遊戯装置であり、この遊戯装置は背面が背面板となっており、壁面に背面を向けて設置されるのが一般的であり、室内中央に設置すると背面が出来てしまい、背面がどうしても見栄えが悪く不向きであった。
【０００３】
本願出願人は、さらに設置場所を室内の中央部にも設置できる遊戯装置として、筐体の平面形状が略６角形で、その何れの辺に面しても操作が可能に操作部を設けて、遊戯者がどの辺に面しても景品取得遊戯ゲームができようにしたものを提案している（例えば特許文献２参照）。
この遊戯装置は、略６角形であるので、室内の壁面ではなく中央部に設置可能であり、略６角形の中央の奥行隅部には遊戯とは関係がない歯車の装飾体があり、略６角形の各辺毎に操作部が設けられており、最大６人までが同時に遊戯を楽しむことができるが、６人用の大型筐体となり、前出の遊戯装置に比して搬入、搬出が大変であった。
【０００４】
本願出願人はさらに、景品を一つずつ一列に並べて載置する景品載置部と景品を落とすための景品落とし手段を備えた景品落とし装置と、景品落とし装置を景品に相対する位置へ移動させる移動手段と、景品落とし装置の移動および動作を制御する操作手段を備えた景品取得ゲーム機を開示している（例えば特許文献３参照）。
これはゲーム空間の中で景品載置部が回転しており、遊戯者は自分の席に回転してきた所望の景品を取得することが可能となっているが、その景品が取得されてしまうと、景品載置部のその部分は開いてしまい、景品載置部の設置面積に限りがあり、数多くの景品が載置できず、頻繁に景品を補充する必要があった。
【０００５】
一方、回転式商品陳列台としては様々なものが提案されている。この種のものとして垂直軸の回りに回転される回転台を備えた商品の展示即売の為の回転展示装置としては、基台の中央部に立設された支軸の下端部に、駆動手段に連係されて緩速回転させられる回転ベースを、前記支軸を中心として回転しうるように嵌合するとともに、前記回転ベースに前記支軸を囲むようにして立設された回転支柱の周囲に、棚板を、回転支柱と一体的に回転しうるようにして設け、かつ前記支軸における回転支柱の上端よりの突出端部に、前記棚板の上面を照明する照明器具を設けた回転式商品陳列棚がある（例えば特許文献４参照）。
【０００６】
さらに、複数段の卓部からなり、少なくとも一個の卓部は回転することが出来、中心部には各段の卓部が支持される軸筒ユニットを望遠鏡状に連結した回転軸が配置されている回転多段テーブルがある（例えば特許文献５参照）。
【特許文献１】実公平７-０１３７５６号公報
【特許文献２】特開平１１-３１９３０６号公報
【特許文献３】特許第２８３３５１４号公報
【特許文献４】特開２００２−３６９７３５号公報
【特許文献５】特開２００２−１９１４４０号公報
【発明の開示】
【発明が解決しようとする課題】
【０００７】
解決しようとする問題点は、背面板が壁状になっている景品取得遊戯装置を室内中央部に複数台設置するにあたり、見栄えのよい演出ができる景品陳列台を得ることにある。
【課題を解決するための手段】
【０００８】
本発明は、上記課題を解決するために、景品展示室の背面を取り外した景品取得遊戯装置の景品展示室の背面に位置する、基台の中央部に立設された支軸の下端に駆動手段に連係されて緩速回転される回転板を、支軸を中心として回転しうるように軸支するとともに、回転板に支軸を囲むようにして立設された回転支持部を設け、上下複数段の棚板を前記景品取得遊戯装置の前面から操作者が立った位置からみて景品展示室の背面を取り外して見える視野内に位置させた回転式景品陳列台とした。
【０００９】
さらに本発明では上記課題を解決するために、景品展示室の背面を取り外した景品取得遊戯装置の景品展示室の背面に位置する、基台の中央部に立設された支軸の下端に駆動手段に連係されて緩速回転される回転板を、支軸を中心として回転しうるように軸支するとともに、回転板に支軸を囲むようにして立設された回転支持部を設け、上下複数段の棚板を、支柱と一体的に回転しうるように設け棚板を照明する複数の照明器具を設けた回転式景品陳列台とした。
【００１０】
さらに上述において本発明では、前記複数段の棚板の回転方向をそれぞれ制御する回転駆動機構を有する回転式景品陳列台とした。
【００１１】
さらに本発明では上記課題を解決するために、景品展示室の背面を取り外した景品取得遊戯装置の景品展示室の背面に位置する、基台の平面に複数配置した景品棚を軸支する軸に各々回転駆動力を伝える動力伝達手段を設け、各景品棚が回転しうるように軸支した回転式景品陳列台としてある。
【発明の効果】
【００１２】
本発明の景品陳列台を景品取得遊戯装置の景品展示室の背板を外して、設置することにより、より豪華な景品取得遊戯装置を提供することが可能となった。
【発明を実施するための最良の形態】
【００１３】
従前の背板のある景品取得遊戯装置を多数有する場合に本景品展示台を背面に位置させることで、室内中央部に景品取得遊戯装置を設置することが違和感なく、可能となった。
【実施例１】
【００１４】
図１は、景品陳列台を囲んで景品取得遊戯装置を配置した斜視図であり、図２は景品陳列台を囲んで景品取得遊戯装置４台を配置した平面概略図である。
景品取得遊戯装置１は、ゲーム空間となる景品展示室の背板部を取り外し、景品陳列台10を囲んで景品取得遊戯装置1を奥行の隅１ａを合わせて各4台を直角に配置し、各景品取得遊戯装置間のコーナには平面が４分の１の扇状のコーナ部２を配置し、景品取得遊戯装置が４台で一体として見えるようにしてある。
景品取得遊戯装置１は把持詰め装置３が景品展示室４に設けてあり、遊戯者が景品展示室４の床面高さに位置する操作部５を操作して景品把持部３を景品展示室４の天井部６にある図示しない把持つめ駆動装置を駆動して移動させ景品展示室内に配された景品Ｐを把持して景品Ｐを景品取得口７に導き取出すようになっている。
景品取得遊戯装置の景品展示室の背面の背板部は取り外されており、正面から見ると景品展示室を透過して景品陳列台１０を見ることができる。
景品陳列台１０は一辺が景品取得遊戯装置１の横幅の長さの方形であり、平面形状が方形の基台１１の中央に回転する陳列棚１２を配してある。
【００１５】
図３は景品陳列台を囲んで景品取得遊戯装置２台を対峙させて配置した斜視図を示している。景品取得遊戯装置１は、いずれも横幅が同一である同一機種を用いており、景品陳列台を挟んで対峙して配置され、何れの景品取得装置１も景品展示室4の背板部を取り外してあるので、操作部５側から景品展示室4を透過して景品陳列台１０を観察することができる。
【００１６】
図４は景品陳列台を景品取得遊戯装置の背面に配置した内部側面図を示し、図５は景品陳列台の駆動方法を示す概略図を示している。景品陳列台１０は方形台の上にクリスマスケーキ状の同心円状に三段になった陳列棚１２を有しており、景品陳列棚１２は緩やかに水平に回転している。
陳列棚１２は同心円に円筒が三段になっており、基台１１の中段に水平に配された中板１１ａの中央部に立設された軸１３に同心円状の三段の陳列棚１２の下棚１２ａが軸受１４を介して回動自在に取りつけられている。下棚１２ａの中央には支柱１５が固定され立設されている。
中段の中棚１２ｂは円筒の底面の無い形状で中央に支柱１５を貫通する穴を設け、支柱１５の上方から下棚１２ａに載置する。上棚１２ｃも中棚１２ｂの形状で径が小さく、同様に支柱１５の上方から中棚１２ｂに載置する。
これにより下棚１２ｃに中棚１２ｂを載せ、その中棚１２ｂに上棚１２ｃを載せて、三段の陳列棚が構成される。
無論、三段の棚を一体に作っておいてもよいのは勿論であるが、こうすることにより、中棚１２ｂ、上棚１２ｃの寸法を変えることにより、棚数を変えたり、径を変えたり、陳列する景品の大きさに合わせることができるのである。
【００１７】
下棚１２ａの下面の円周近傍に接するキャスタローラ１６が、中板１１ａにブラケット１６ａを介して回動自在に複数個取りつけられ、下棚１２ａが水平に回転する際に陳列棚１２の荷重を支えて回転させることができる。そして中板１１ａには駆動ユニット１７が取りつけられ、駆動モータ１７ａが減速機１７ｂを介して弾性を有する駆動輪１７ｃが取りつけられ、該駆動輪１７ｃは下棚の円周方向に接して下棚１２ａを水平に回転駆動させる。これにより、陳列棚１２は、軸１３を回転中心として駆動輪１７ｃによりある程度の摩擦力で下棚１２ａが駆動されるのである。
操作者Ｈは景品取得遊戯装置1の手前に立ち景品展示室４内に配された景品Ｐや、景品陳列台の陳列棚１２に陳列された景品を見ることができる。標準的な身長を有する操作者Ｈは把持つめ装置３を移動駆動する把持つめ駆動装置が天井部６に収納されているから、この天井部６の天井面奥が上方への視界の限界であり、
操作者Ｈはこの天井面奥から下方の視界が見ることができる。景品展示室４の背中部を取り外した際の景品取得遊戯装置の背板外方の視界の限界線を一点鎖線で示している。視界上方限界線をＶ１、視界下方限界線をＶ２で示す。
【００１８】
景品陳列台の陳列棚１２に景品を展示した状態で、最上段の景品Ｐｈは、標準的な身長を有する操作者Ｈにとって、難なく観察ができる位置に陳列台１２ｃの高を取ってある。こうすることにより、操作者Ｈはしゃがむことなく景品陳列棚に陳列された全景品を観察することが可能となっている。
さらに陳列棚１２は緩やかに回転しており、陳列棚１２が一回転することにより、陳列棚に陳列してある全景品を観察することができる。
【００１９】
操作者Ｈはいろいろな景品を観察でき、景品展示室４内に所望する景品Ｐがあれば、操作部５を操作して把持つめ装置３を水平に移動させた後、把持つめ装置３を下降させて景品Ｐを把持させる動さをさせて、うまく景品Ｐが把持できたならば、景品取得口７へ導き、入手するのである。
【実施例２】
【００２０】
図６は、本願の第２実施例であり、陳列棚の段数が可動変更可能な景品陳列台の内部断面図である。図６（Ａ）は景品陳列台の陳列棚が３段になっている断面を示している。
この陳列棚２２は下棚２３ａ、中棚２３ｂ、上棚２３ｃから構成され、中棚２３ｂ、上棚２３ｃのうち、径方向の内側が昇降棚２４となっている。昇降棚２４は昇降中棚２４ｂ、昇降上棚２４ｃを有しており、昇降中棚２４ｂと昇降上棚２４ｃは内部で昇降床板２４ａと一体に構成されており、昇降棚板２４は支柱１５に対し、昇降可能に軸受２４ｅ、２４ｆが取りつけてある。昇降棚板の底板２４ａには支柱を挟む三方の対称位置に昇降装置２５が設けられている。この昇降装置２５は、昇降棚２４を水平に昇降させるために、昇降棚２４を水平状態に保ち昇降させることができるように例えばパンタグラフ式電動ジャッキや、ボールネジによりモータ駆動で昇降棚２４が水平に昇降し、昇降動作中に傾いたりすることがない。この駆動に際してモータへの電力は図示しないが、軸受部１４に設けた複数の摺動接点を用いて基台１１側から供給される。この電力は昇降時以外は使用しないので、通常は陳列棚の側面に電球を配して照明することも可能であり、これにより人目を引く陳列棚とすることができる。昇降棚２４の昇降駆動は基台側に設け制御部の昇降スイッチを開閉することで行なわれる。
図６（Ｂ）は昇降棚が上側に動き、陳列棚を５段にした状態を示しており、このようにすると、陳列棚が三段の場合と比して、小型の景品を２段目２３ｂ、３段面２４ｂ、４段目２３ｃ、５段目２４ｃの展示棚に陳列するのに適する。ここでは下棚２３ａは元のままであるから、ここには元の大きさの景品を展示することができる。
これにより、中板１１ａに取り付けられている複数のキャスタローラ１６と、駆動ユニット１７により、下棚２３ａが回転駆動され、それに一体となって２段目から５段目までの陳列棚が一体となって緩やかに回転するのである。
【実施例３】
【００２１】
図７は、本願の第３実施例であり、陳列棚の回転方向がそれぞれ異なる景品陳列台の内部断面図を示す。
三段の陳列棚３１はそれぞれ背板を有する下棚３１ａ、背板を有する中棚３１ｂ、支柱を有する上棚３１ｃがそれぞれ同心ではあるが、おのおのの回転軸を有しており、各棚はそれぞれの回転軸に固定されており、各回転軸は基台１１の下方でギアまたはプリーを介して駆動ユニットの駆動軸の回転に伴い、下棚３１ａ、中棚３１ｂ、上棚３１ｃが別々に回転することができる。例えば下棚３１ａと上棚３１ｃが同一向きに回転し、中棚３１ｂは逆向きに回転する。さらに回転速度は同一でも違えてもよい。それは駆動ユニットのギア列で介在するギアの数を奇遇数にすることで達成される。プリーではベルトの巻き方を８の字状にすることで回転方向を変えることができる。
下棚３１ａは太い円筒回転軸３３ａに軸受３４ａにより固定されており中板１１に軸受３５ａで回転自在に上下方向の高さを維持されている。尚、中板１１ａには下棚３１ａの下面を支えるキャスタローラ１６が複数取りつけられており、下棚３１ａの回転を補助的に支えている。中板１１ａの下方には太い円筒回転軸に軸着されたギア３６ａが駆動ユニットのギア３７ａに連なっている。
また中棚３１ｂには円筒回転軸３３ａの円筒内を貫通する円筒の回転軸３３ｂが軸受３４ｂを介して取りつけられており、該回転軸３３ｂは基台１１から固定された水平なブラケット１８に軸受３５ｂを介して回転自在に取りつけられており、中棚３１ｂの上下方向の高さを維持している。回転軸３３ｂはブラケット１８の下方でギア３６ｂに軸着されており、ギア３６ｂは駆動ユニットのギア３７ｂに連なっている。
同様に上棚３１ｃには円筒回転軸３３ｂの円筒内を貫通する回転軸３３ｃに軸受３４ｃを介して取りつけられており、該回転軸３３ｃは基台の底部に軸受３５ｃに回転自在に取りつけられるとともに、上下方向の高さを維持されている。同様に回転軸３３の軸着したギア３６ｃは駆動ユニットのギア３７ｃに連なっている。
上記でのべた各回転軸３３ａ、３３ｂ、３３ｃに軸着されたギア３６ａ、３６ｂ、３６ｃは駆動ユニットのギア３７ａ、３７ｂ、３７ｃと連結されるにあたり、プリー群としてもよいのは勿論である。
【実施例４】
【００２２】
図８は、第４実施例を示し、陳列皿が平面状に複数存在しそれぞれ回転する景品陳列台である。図8（Ａ）は景品陳列台の斜視図を示し、図８（Ｂ）は基台の内部平面図を示す。
基台１１の平面状に多数の回転円筒４０ａ、４０ｂ、・・を設けてあり、該回転円筒は基台内で回転軸４１ａ、４１ｂ、・・が垂下されており、該回転軸４１ａにはプリー４２ａ、４２ｂが軸着されている。隣接する回転円筒４０ｂのプリーにはベルトが掛け渡されており、一方の円筒４０ａが回転すると他方の円筒４０ｂも従動して回転することができる。図8（Ｂ）に示すように基台の中央には駆動モータＭが位置しており、駆動モータＭの回転軸に軸着されたプリー４３と近傍の回転円筒のプリーとにベルトが掛け渡されており、回転円筒４０ａ、４０ｂ、・・を回転駆動するのである。
【実施例５】
【００２３】
図９は、第５実施例であり、内部からライトアップした景品陳列台である。図９（Ａ）は景品陳列台の斜視図であり、図９（Ｂ）は同内部断面図である。
陳列棚１１は同心円状に３段になっており、各段の麓がリング状に透光性の硬質樹脂性やガラス製のリング体を配置してあり、基台上面のリング体５０ａ、下棚のリング体５０ｂ、中棚のリング体５０ｃを配置してある。
景品陳列台は基台の内部中央に立設された支軸１３により軸支され、基台１１に取りつけた複数のキャスタローラ１６に高さを維持されつつ回転保持されており、駆動ユニット１７により底部が回転駆動される。
各棚のリング体５０ａ、５０ｂ、５０ｃを区分けする区割体５１がそれぞれ各棚の底から垂下されており、基台１１に取りつけられた赤、青、緑のスポット光５２が各リング体に照射される。各リング体は透光性を有しており、各リング体５０ａ、５０ｂ、５０ｃがスポット光５２の照射により景品陳列台の外から見ると、各色によりリング体５０ａ、５０ｂ、５０ｃが光り、各棚の段差部の縦壁をライトアップするのである。
また、同一の区画に単一のスポット照明を配するだけでなく、光の三源色の３つのスポット照明を配して、図示しない制御回路により３源色の照明の割合を変えることで様々な色のライトアップをすることが可能である。
また、上記説明ではリング体のみ透光性としたが、陳列棚を透光性材質にすることでより目立つライトアップする展示台が得られる。
これにより、照明でより奇麗にライトアップされた景品展示台を提供することができるのである。
【産業上の利用可能性】
【００２４】
本願は景品取得遊戯装置の景品陳列台に用いるだけでなく、百貨店等の店内での商品の陳列台としても適用することが可能である。
【図面の簡単な説明】
【００２５】
【図１】景品陳列台を囲んで景品取得遊戯装置を配置した斜視図である。
【図２】景品陳列台を囲んで景品取得遊戯装置４台を配置した平面概略図である。
【図３】景品陳列台を囲んで景品取得遊戯装置２台を対峙させて配置した斜視図である。
【図４】景品陳列台を景品取得遊戯装置の背面に配置した内部側面図である。（実施例１）
【図５】景品陳列台の駆動方法を示す概略図である。
【図６】陳列棚の段数が可動変更可能な景品陳列台の内部断面図である。（実施例２）
【図７】陳列棚の回転方向がそれぞれ異なる景品陳列台の内部断面図である。（実施例３）
【図８】陳列皿が平面状に複数存在しそれぞれ回転する景品陳列台である。（実施例４）
【図９】内部からライトアップした景品陳列台である。（実施例５）
【符号の説明】
【００２６】
１  景品取得遊戯装置
１０  景品陳列台
１１  基台
１２  陳列棚
１３  軸
１４  軸受
１５  支柱
１６  キャスタローラ
１７ 駆動ユニット
２２  陳列棚
【手続補正３】
【補正対象書類名】図面
【補正対象項目名】全図
【補正方法】変更
【補正の内容】
【図１】
2005230507.tif 000012
【図２】
2005230507.tif 000013
【図３】
2005230507.tif 000014
【図４】
2005230507.tif 000015
【図５】
2005230507.tif 000016
【図６】
2005230507.tif 000017
【図７】
2005230507.tif 000018
【図８】
2005230507.tif 000019
【図９】
2005230507.tif 000020